(57)【要約】【課題】熱履歴によるシール性の低下が有効に防止された注出具を提供する。【解決手段】スパウト１とキャップ３とからなる注出具において、スパウト１の容器接合部４３の筒状基部４３ａの内面には、シールリング５１が連結されており、キャップ３の筒状栓体５が、スパウト１の円筒状本体部４１及び容器接合部４３の内部空間に挿入されたとき、筒状栓体５の下方部がシールリング５１と密着することを特徴とする。【選択図】  図１
2019081573.tif 000002
【特許請求の範囲】
【請求項１】
円筒状本体部と該円筒状本体部の下部に一体に連なった容器接合部とを含み且つ該円筒状本体部及び該容器接合部の内部空間が内容物の排出用流路となっているスパウトと、該スパウトの円筒状本体部に螺子係合により着脱自在に装着されているキャップとからなる注出具において、
前記スパウトの円筒状本体部の外面には、キャップ係合用螺条が設けられていると共に、
前記スパウトの容器接合部は、筒状基部と、該筒状基部の外面から径方向外方に張り出している張出部とを有しており、且つ該筒状基部の内面には、該内面と間隔をおいて上方又は下方に延びているシールリングが連結されており、
前記キャップは、前記スパウトの円筒状本体部及び容器接合部の内部空間に挿入され且つ少なくとも下端が閉じられている形状を有する筒状栓体と、該筒状栓体の上端に連なり且つ該筒状栓体の外面を取り囲むように下方に延びているスカート部とを有しており、
前記キャップのスカート部の内面には、前記キャップ係合用螺条と係合するキャップ固定用螺条が設けられており、
前記キャップの筒状栓体が、前記スパウトの円筒状本体部及び容器接合部の内部空間に挿入されたとき、該筒状栓体の下方部が前記シールリングと密着することを特徴とする注出具。
【請求項２】
前記シールリングは、前記筒状基部の内面の下端よりも上方位置に連結されて下方に延びており、該シールリングの内方側の面が、前記筒状栓体の下方部の外面と密着する請求項１に記載の注出具。
【請求項３】
前記シールリングは、前記筒状基部の内面の下端に連結されて上方に延びており、
前記環状栓体の下端の外周縁からは、延長リングが下方に延びており、
前記キャップの筒状栓体が、前記スパウトの円筒状本体部及び容器接合部の内部空間に挿入されたとき、前記延長リングが、前記シールリングと前記筒状基部との間の空間に入り込み、該延長リングの内方側の面と該シールリングの外方側の面とが密着する請求項１に記載の注出具。
【請求項４】
前記キャップの筒状栓体外面の上方部には、前記スパウトの円筒状本体部の内面と密着する係合突部が形成されている請求項１〜３の何れかに記載の注出具。
【請求項５】
前記スパウトは、加熱殺菌される食品が収容される袋状容器に装着される請求項１〜４の何れかに記載の注出具。
【発明の詳細な説明】
【技術分野】
【０００１】
本発明は、パウチと呼ばれる袋状容器等に接着固定され、容器内容物の排出路として機能するスパウトと、該スパウトに装着されるキャップとからなる注出具に関するものである。
【背景技術】
【０００２】
プラスチックフィルムやアルミ箔などから形成された袋状容器は、古くから各種用途に使用されている。このような袋状容器は、従来は、袋の端部を引き裂くことにより開口を形成し、この開口を通して内容物を取り出すように構成されていることが多かったが、最近では、このような袋状容器には、スパウトと呼ばれるプラスチック製の排出用部材が設けられて使用されるようになってきた。
【０００３】
スパウトは、全体として両端開口の筒状形状を有するものであり、円筒状本体部と、該円筒状本体部の下部に一体に連なった容器接合部とから形成されており、円筒状本体部と容器接合部の内部空間は、容器内容液を注ぎ出す際の排出用貫通路となっている。この容器接合部は、例えば袋状容器（パウチ）の開口部にヒートシールにより接合固定され、円筒状本体部には、キャップが被せられて着脱自在に装着されて、注出具として使用される（特許文献１参照）。
【０００４】
上記のようなスパウトとキャップとからなる注出具は、各種飲料、ペースト状の食品類、液状医薬品などが収容されている袋状容器に装着にされて広く使用されているが、上記のような従来公知の樹脂製の注出具は、熱履歴を受けた場合、樹脂収縮、ヒケに起因する熱変形が生じるという問題がある。例えば、スパウトの容器接合部にヒートシールによりパウチを熱接合した場合、或いはレトルト殺菌などの加熱処理が行われた場合、僅かであるがこのような熱変形が生じる。特に、スパウトの容器接合部は、袋状容器との接着面を大きくし、ヒートシールによりがっちりと袋状容器を接着固定するために、外面に張出部が設けられている。このような張出部が形成される部分では、容器接合部の肉厚は一様ではなく、肉厚が不均一なため、同様に熱変形の程度も不均一となってしまう。
【０００５】
例えば、酸素バリア性を向上させた注出具として、キャップのスカート壁とは間隔を置いて下方に延びており且つい下端が閉じられた中空の筒状凹部がキャップに形成されている構造のものが提案されている（特許文献２，３参照）。
このような構造の注出具では、キャップをスパウトに装着したとき、スパウトの内部に上記の筒状凹部が侵入し、キャップのスカート壁と該筒状凹部の上部壁との間の空間にスパウトの上方部分（円筒状本体）が嵌め込まれることにより、キャップが安定に保持される構造となっている。
即ち、スパウトの内部に上記筒状凹部が侵入し、該筒状凹部の外面がスパウトの内面下方まで密着するシール構造により形成される二重壁構造で酸素バリア性が高められるというものである。また、かかる注出具では、容器内容物が容器に充填されているとき、所謂ヘッドスペースとなるスパウト内空間が上記の筒状凹部によって閉じられるため、ヘッドスペースの容積を小さくすることができ、これにより、ヘッドスペースに存在する酸素による容器内容物の酸化劣化を防止できるという利点もある。
【０００６】
しかしながら、上記のような筒状凹部の外面がスパウトの内面下方まで密着するシール構造の場合、注出具の内面における熱履歴を受けたときの僅かな熱変形がシール性に顕著な影響を与えることがわかった。即ち、肉厚が不均一であり熱変形の程度が不均一となっている容器接合部は、シール性を確保するのが非常に難しく、特にレトルト殺菌などの加熱処理が行われたときに酸素バリア性が低下したり、内容物の漏れ（レトルト漏れ）などを生じる傾向がある。
【先行技術文献】
【特許文献】
【０００７】
【特許文献１】特許第５４２１６５３号
【特許文献２】特開２００４−９０９６４号公報
【特許文献３】特開２００２−１０４４４７号公報
【発明の概要】
【発明が解決しようとする課題】
【０００８】
従って、本発明の目的は、熱変形によるシール性の低下が有効に防止された注出具を提供することにある。
本発明の他の目的は、特に加熱殺菌される食品が収容される袋状容器に好適に適用される注出具を提供することにある。
【課題を解決するための手段】
【０００９】
本発明によれば、円筒状本体部と該円筒状本体部の下部に一体に連なった容器接合部とを含み且つ該円筒状本体部及び該容器接合部の内部空間が内容物の排出用流路となっているスパウトと、該スパウトの円筒状本体部に螺子係合により着脱自在に装着されているキャップとからなる注出具において、
前記スパウトの円筒状本体部の外面には、キャップ係合用螺条が設けられていると共に、
前記スパウトの容器接合部は、筒状基部と、該筒状基部の外面から径方向外方に張り出している張出部とを有しており、且つ該筒状基部の内面には、該内面と間隔をおいて上方又は下方に延びているシールリングが連結されており、
前記キャップは、前記スパウトの円筒状本体部及び容器接合部の内部空間に挿入され且つ少なくとも下端が閉じられている形状を有する筒状栓体と、該筒状栓体の上端に連なり且つ該筒状栓体の外面を取り囲むように下方に延びているスカート部とを有しており、
前記キャップのスカート部の内面には、前記キャップ係合用螺条と係合するキャップ固定用螺条が設けられており、
前記キャップの筒状栓体が、前記スパウトの円筒状本体部及び容器接合部の内部空間に挿入されたとき、該筒状栓体の下方部が前記シールリングと密着することを特徴とする注出具が提供される。
【００１０】
本発明の注出具においては、
（１）前記シールリングは、前記筒状基部の内面の下端よりも上方位置に連結されて下方に延びており、該シールリングの内方側の面が、前記筒状栓体の下方部の外面と密着すること、
或いは、
（２）前記シールリングは、前記筒状基部の内面の下端に連結されて上方に延びており、
前記環状栓体の下端の外周縁からは、延長リングが下方に延びており、
前記キャップの筒状栓体が、前記スパウトの円筒状本体部及び容器接合部の内部空間に挿入されたとき、前記延長リングが、前記シールリングと前記筒状基部との間の空間に入り込み、該延長リングの内方側の面と該シールリングの外方側の面とが密着すること、
という態様を好適に採用することができる。
さらに、本発明の注出具では、
（３）前記キャップの筒状栓体外面の上方部には、前記スパウトの円筒状本体部の内面と密着する係合突部が形成されていること、
（４）前記スパウトは、加熱殺菌される食品が収容される袋状容器に装着されること、
が好適である。
【発明の効果】
【００１１】
本発明の注出具は、容器、特に袋状容器の開口部に装着されるスパウトと、これに装着されるキャップとからなるものであるが、スパウトの容器接合部を構成している筒状基部の内面に、シールリングが設けられており、このシールリングがキャップの筒状栓体の下方部と密着するというシール構造が採用されている点に顕著な特徴を有している。
即ち、このようなシール構造では、容器接合部へのパウチのヒートシール或いはレトルト殺菌などにより熱履歴を受けた場合においても、筒状基部とは間隔をおいてシールリングが形成されているため、シールリング全周の熱変形は均一であり、また、シールリング自体が追随性を有するため、熱履歴によるシール性の低下が有効に防止されている。例えば、レトルト漏れなどの不都合は有効に解消され、さらに、レトルト殺菌による容器内部への酸素侵入も有効に抑制されていることが実験的に確認されている。
【００１２】
従って、本発明の注出具は、各種果汁類のように熱間充填される内容物が収容される容器のみならず、容器への充填後にレトルト殺菌される各種食品類を内容物とする袋状容器にも効果的に適用される。
【図面の簡単な説明】
【００１３】
【図１】本発明の注出具の一例を示す半断面正面図（ａ）及び側面半断面図（ｂ）である。
【図２】図１の注出具におけるキャップの上面図（ａ）、底面図（ｂ）及び半断面正面図（ｃ）である。
【図３】図１の注出具におけるスパウトの上面図（ａ）、半断面正面図（ｂ）、半断面側面図（ｃ）及び底面図（ｄ）である。
【図４】本発明の注出具の他の例を示す半断面正面図（ａ）及び側面半断面図（ｂ）である。
【図５】図４の注出具において、キャップの半断面正面図（ａ）、スパウトの半断面正面図（ｂ）、スパウトの半断面側面図（ｃ）、及びスパウトの底面図（ｄ）を示す図である。
【発明を実施するための形態】
【００１４】
本発明の注出具は、スパウトの容器接合部を構成している筒状基部の内面に、シールリングが設けられているという特徴を有するものであるが、このシールリングによる密封構造により、大きく分けて、下向き型シールリング構造と上向き型シールリング構造の２つがある。図１〜図３には、下向き型シールリング構造の注出具が示され、図４及び図５には、上向き型シールリング構造の注出具が示されている。
尚、下向き型の注出具と上向き型の注出具とは、基本構造を共通しているため、上向き型の注出具を示す図４及び図５では、一部の部分（例えば、キャップの上面及び底面図、並びにスパウトの上面図）は省略されている。
【００１５】
先ず、本発明における下向き型及び上向き型の２つの注出具における共通の基本構造について説明する。
【００１６】
図１〜図５を参照して、本発明の注出具は、袋状容器（図示せず）の開口部に取り付けられて容器内容物の排出に使用されるものであり、全体として１で示され且つ袋状容器の開口部にヒートシールにより接着固定されるスパウト１と、このスパウト１に被せての螺子係合により装着されて密封構造を形成するキャップ３とから構成されている。
【００１７】
スパウト１及びキャップ３は、何れも熱可塑性樹脂、例えば、例えば低−、中−、或いは高密度ポリエチレン、線状低密度ポリエチレン、アイソタクティックポリプロピレン、シンジオタクティックポリプロピレン、ポリ１−ブテン、ポリ４−メチル−１−ペンテンあるいはエチレン、プロピレン、１−ブテン、４−メチル−１−ペンテン等のα−オレフィン同志のランダムあるいはブロック共重合体、エチレン−酢酸ビニル共重合体、エチレン−（メタ）アクリル酸共重合体、エチレン−(メタ)アクリル酸エステル共重合体、イオン架橋オレフィン共重合体（アイオノマー）などを用いての射出成形により成形される。
【００１８】
先ず、図１及び図４と共に、キャップ３の構造を示す図２及び図５（ａ）を参照して、このキャップ３は、中央部分に下方に延びている筒状栓体５を有しており、この栓体５により、後述するスパウト１に形成されている内容物の排出用流路（後述する図３等において１００で示されている）が閉じられるようになっている。これらの図に示されているように、この栓体５は、肉抜きされた中空筒形状を有しており、底面５ａによって排出用流路１００が閉じられる構造となっている限り、肉抜きされていない中実形状を有するものであってよい。但し、樹脂量低減の観点からは、図示されているように、中空筒状形状を有していることが好ましい。
尚、栓体５の外面５ｂは、若干、テーパー面となっており、下方にいくにしたがい、外径が小さくなっている。これは、キャップ３をスパウト１に装着したとき、栓体５がスパウト１の中空空間（排出用流路１００）内にスムーズに入り込むようにするためである。
【００１９】
また、上記栓体５の上端部は、外方に延びている周状フランジ７を介して、栓体５の外面５ｂとは間隔を空けて下方に延びているスカート部９が形成されている。このスカート部９の内面には、スパウト１と螺子係合するための螺条１１が形成されている。
即ち、キャップ３をスパウト１に被せて螺子係合により固定したとき、スパウト１の上端部分が栓体５の外面５ｂとスカート部９の内面との間の空間に入り込み、これにより、キャップ３がスパウト１に固定されるようになっている。
【００２０】
尚、上記栓体５の外面上方部分には外方に突出する係合突部１３ａが周状に設けられていると共に、この係合突部１３ａと対応するように、スカート部９の内面上方部分に係合突部１３ｂが設けられており、これにより、スパウト１の上端部分がしっかりと保持されるようになっている。
周状フランジ７の下面には、微細な環状突起１３ｃが更に形成されており、栓体５の外面５ｂとスカート部９の内面との間の空間に入り込んだスパウト１の上端部分の上面が、この環状突起１３ｃと当接することにより、シール性を補助するようになっている。
【００２１】
さらに、スカート部９の下端には、キャップ３の開封履歴を証明する公知のタンパーエビデントバンド（ＴＥバンド）１５が連結されている。
【００２２】
このＴＥバンド１５は、これに限定されるものではないが、例えば、破断可能なブリッジ１７により、スカート部９の下端に連結されており（図２（ｃ）、図５（ａ）参照）、さらに、ＴＥバンド１５の内面には、スパウト１の外面のラチェット４９（後述する）に係合することにより、ＴＥバンド１５の開栓方向への回転を制限するよう開栓方向Ｘ側に延出する係合片１９が設けられている（図２（ｂ）参照）。
【００２３】
さらに、ＴＥバンド１５の上端面には、ガイド片２１が設けられており、スカート部９の下端面には、このガイド片２１を挟むようにして、ＴＥバンド１５の回転に際してガイド片２１と係合する一対の回転制御片２３ａ、２３ｂが設けられている（図２（ｃ）、図５（ａ）参照）。
【００２４】
即ち、ガイド片２１は、一方の側面が切り立った直立面となっており、他方の側面が傾斜面となっている。これに対して、ガイド片２１の直立面に対向する位置の回転制御片２３ａは切り立った直立面を有しており、ガイド片２１の傾斜面に対向する位置の回転制御片２３ｂは傾斜面を有している。
このキャップ３をスパウト１に被せて閉栓方向に回転させると、スカート部９に設けられている回転制御片２３ａの直立面とＴＥバンド１５に設けられているガイド片２１の直立面同士が係合し、この係合により、スカート部９と同様、ＴＥバンド１５も閉栓方向に回転し、前述した螺条１１、螺条４５との螺子係合により、スパウト１の上端部分が栓体５の外面５ｂとスカート部９の内面との間の空間に入り込み、キャップ３がスパウト１に固定されることとなる。
一方、上記のようにしてスパウト１に固定されているキャップ３を、開栓方向に回転させていくと、螺条１１、螺条４５による螺子係合が解除されるため、キャップ３は、スパウト１に対して上昇し、螺子係合が解除されていることとなるが、既に述べたように、ＴＥバンド１５の内面に設けられている係合片１９がスパウト１の外面のラチェット４９と係合することとなり、ＴＥバンド１５の開栓方向への回転が阻止されるため、ＴＥバンド１５のブリッジ１７に周方向のせん断力が作用する。さらに、ＴＥバンド１５のガイド片２１とスカート部９の回転制御片２３ｂの傾斜面同士が係合し、この状態でキャップ３は、開栓方向に回転され続けると、この傾斜面同士の係合により、ＴＥバンド１５には、これを押し下げるような力が作用し、ブリッジ１７に軸方向の延伸力が加わる結果、ＴＥバンド１５とキャップ３とを連結しているブリッジ１７が破断し、キャップ３は、ＴＥバンド１５から切り離された状態でスパウト１から離脱する。即ち、ＴＥバンド１５がキャップ３から切り離されている時、このキャップ３は、スパウト１から取り外されたものであると認識され、これにより、開封履歴証明機能が発揮され、キャップ３の不正使用を有効に防止することが可能となる。
【００２５】
さらに、上述したキャップ３では、スカート部９を取り囲むように、グリップリング２７を設けることが好適である。即ち、袋状容器に取り付けられるスパウト１は、多くの場合、極めて小径であり、結果、キャップ３のスカート部９も小径のものとなる。このため、スカート部９を握って開栓或いは閉栓方向への回転作業が非常にやり難くなるおそれがある。このため、大径のグリップリング２７を、スカート部９を取り囲むように設け、このグリップリング２７により、キャップ３の回転作業を容易に行い得るようにしたものである。
【００２６】
従って、上記のグリップリング２７の外面には、図２（ｃ）及び図５（ａ）に明瞭に示されているように、滑り止めとなるローレット２９を設けておくことが好適である。
【００２７】
また、かかるグリップリング２７は、下向き型シールリング構造の注出具での図２（ａ）及び図２（ｂ）を参照して（上向き型シールリング構造の注出具については同じであるので省略）、複数の連結片３１により、スカート部３の外側側面と連結されている。かかる連結片３１は、何れも、スカート部９の中心Ｏを通る径方向直線Ａと角度αを有するように傾斜し、スカート部９の軸方向に亘り板状に設けられている。即ち、この傾斜方向がキャップ３の開栓方向であることにより、キャップ３を開封する際に連結部３１が開栓方向Ｘと同一方向に撓むことから、キャップ３の開栓を妨げになることがなく、開栓トルクが急激に上昇する虞がない。
【００２８】
さらに、上記の連結片３１の間には、グリップリング２７の内面側からスカート部９の外面側に向かって延びる板状のフラップ片３３を設けることが好ましい。このフラップ片３３は、スカート部９の外面とは連結されておらず、先端がフリーとなっている。また、このフラップ片３３も連結片３１と同様、スカート部９の中心Ｏを通る径方向直線Ａと角度βを有するように傾斜して設けられている。
このようなフラップ片３３を連結片３１の間に設けておくことにより、キャップ３のスカート部９の外周面とグリップリング２７の内周面との間の空間がフラップ片３３によって小さく区切られることによって、搬送時のキャップ３同士の絡まりが防止できる。
【００２９】
次にスパウト１の基本形態について説明する。
図１及び図４と共に、図３及び図５（ｂ）〜（ｄ）を参照して、スパウト１は、全体として中空筒状形状を有しており、この内部空間が、容器内に収容されている内容物の排出用流路１００となっている。
【００３０】
このようなスパウト１は、円筒状本体部４１と、円筒状本体部４１の下部に一体に連なった容器接合部４３とから構成されている。
【００３１】
円筒状本体部４１は、前述したキャップ３が被せられて固定される部分である。このため、上部の外面には、キャップ３を螺子固定するための螺条４５が形成されており、その下方には、間に顎部４７を挟んで、複数のラチェット４９が設けられており、ラチェット４９に下側には、スパウト１を保持するためのサポートリング５０が設けられている。
【００３２】
即ち、上記の螺条４５と、キャップ３のスカート部９の内面に形成されている螺条１１との螺子係合により、キャップ３がスパウト１に螺子固定され、安定に保持されることとなる。キャップ３を螺子係合により固定した状態では、キャップ３の筒状栓体５が排出用流路１００内に侵入し、これにより、排出用流路１００が円筒状本体部４１の下方部分で閉じられ、この流路１００からの内容物の排出が防止される。また、図１に示されているように、このスパウト１の円筒状本体部４１が、キャップ３の栓体５の外面５ｂとスカート部９の内面との間に侵入し、その上端部分が係合突部１３ａ、１３ｂとによりしっかりと挟み込まれ、さらに、スパウト１（円筒状栓体５）の上端が環状突起１３ｃと当接して密着することにより、キャップ３がしっかりと保持される。円筒状本体４１の下方部分におけるシール構造については、後述する。
【００３３】
また、顎部４７の下方に設けられているラチェット４９は、スパウト１（円筒状本体４１）に螺子固定されたキャップ３を開栓方向に回転させてキャップ３を取り外す際に、前述したＴＥバンド１５の開栓方向への回転を抑止するが、閉栓方向への回転は許容し得るような形態に形成されている。
【００３４】
即ち、このラチェット４９は、図３（ａ）に示されているように、閉栓方向Ｙ側の面が切り立った直立面４９ａとなっており、開栓方向Ｘ側（即ち、閉栓方向Ｙに対して上流側）の面がなだらかな面４９ｂとなっている。かかるラチェット４９は、キャップ３を螺子固定した状態において、前述したＴＥバンド１５の内面に設けられている係合片１９の開栓方向側に、ある程度間隔をおいて位置するように配置されている。
従って、キャップ３を開栓方向に回転させてキャップ３を取り外そうとしたとき、キャップ３のスカート部９及び栓体５は、開栓方向に回転してスパウト１（円筒状本体４１）上を上昇すると共に、ＴＥバンド１５は、ある程度開栓方向に開栓した段階で係合片１９の先端がラチェット４９の直立面４９ａに当接し、ＴＥバンド１５の開栓方向側への回転が制限される。この結果、先にも述べたように、スカート部９とＴＥバンド１５とを連結しているブリッジ１７が破断し、ＴＥバンド１５がスカート部９から切り離された状態で、キャップ３がスパウト１から取り外される。このようにして、このキャップ３が開封されたものであることを認識し、いたずらなどによる注出具の不正使用を防止することができることは既に述べた通りである。
【００３５】
尚、キャップ３をスパウト１（円筒状本体４１）に被せて閉じる場合、前述した係合片１９は可撓性を有しているため、また、前述したラチェット４９は、このキャップ３（係合片１９）の閉栓方向への回転を許容するようになだらかな面４９ｂが形成されているため、この閉栓方向への回転は制限されず、キャップ３をスムーズにスパウト１（円筒状本体４１）に螺子固定により装着することができる。
【００３６】
上記のような円筒状本体４１を有するスパウト１において、円筒状本体４１の下端に連なる容器接合部４３は、その側面にフィルムからなる袋状容器（図示せず）の開口部分にヒートシールにより接合される部分である。
【００３７】
この容器接合部４３は、図３（ｂ）〜（ｄ）及び図５（ｂ）〜（ｄ）に示されているように、円柱形状の筒状基部４３ａと、筒状基部４３ａの外面に形成されている張出部４３ｂとから構成されている。この筒状基部４３ａの外面及び張出部４３ｂの外面には袋状容器の開口部にヒートシールされる部分である。また、張出部４３ｂは、高さ方向に延びており且つ互いに径方向反対側に設けられている一対の軸片４３ｂ−１と、この軸片４３ｂ−１と連結するように周方向に延びており且つ軸方向に間隔をおいて配置されている複数の小さな周状片４３ｂ−２とからなっている。
上記のようにして袋状容器の開口部をスパウト１（容器接合用筒４３）にヒートシールによる接合する場合、張出部４３ｂの形成によりヒートシール面積が増大し且つヒートシールに際しての圧着も容易に行うことができるため、良好な密封性を確保することができる。
【００３８】
ここで円筒状本体４１の下方部分における栓体５とのシール構造について説明する。上記のような基本構造を有する注出具において、本発明においては、スパウトの容器接合部４３を構成している筒状基部４３ａの内面に、シールリングを設け、このシールリングを利用して、熱履歴によるシール性の低下を防止するというものであり、シールリングによる密封構造は、以下の２種類下向き型シールリング構造と上向き型シールリング構造に分類される。
【００３９】
＜下向き型シールリング構造＞
図１〜図３、図３（ｂ）、（ｃ）を参照して、下向き型のシールリング構造においては、前述したスパウト１の筒状基部４３ａの内面の下端部のやや上方部近傍に、若干内方を指向して筒状基部４３ａの内面とは間隔を置いて下方に延びている可撓性のシールリング５１が設けられており、このシールリング５１と筒状基部４３ａとの間に溝６０が形成されている。即ち、このタイプのシールリング構造では、キャップ３が装着されたとき、このシールリング５１がキャップ３の筒状栓体５の下方部外面と密着嵌合するように構成されている。即ち、図２（ｃ）に示されているように、このタイプに使用されるキャップ３では、筒状栓体５の下方部分が、シールリング５１の間を通って密着するように、小径に絞られた小径部５３となっている。
即ち、このタイプでは、シールリング５１の内方側の面と筒状栓体５の下方部（小径部５３）の外面との密着によりシール構造が形成される。
【００４０】
＜上向き型シールリング構造＞
これに対して、図４及び図５を参照して、上向き型のシールリング構造では、スパウト１の筒状基部４３ａの内面の下端部には、内方に延びている水平壁５５が形成され、この水平壁５５の内端から筒状基部４３ａの内面とは間隔を置いて上方に延びている可撓性のシールリング５７が設けられており、このシールリング５７と筒状基部４３ａとの間に溝６０が形成されている。
一方、このタイプに使用されるキャップ３では、図５（ａ）に示されているように、筒状栓体５の下端の外周縁から下方に延びている可撓性の延長リング６１が設けられている。
【００４１】
即ち、このタイプのシールリング構造では、キャップ３が装着されたとき、このシールリング５７によって形成されている溝６０内に、筒状栓体５の下端から延びている延長リング６１が挿入されて嵌合保持され、シールリング５７の外方側の面と延長リング６１の内面とが密着することによりシール構造が形成される。
【００４２】
このように、上述した下向き型及び上向き型シールリング構造の何れも周状に均一な肉厚を有する可撓性シールリング５１、５７によりシール構造が形成されるため、この注出具の筒状基部が熱履歴を受けた場合においても、シール性の低下を有効に回避することが可能となる。
即ち、上記のようなシールリング５１、５７を用いずに、単にスパウト１の筒状基部４３ａの内面とキャップ３の筒状栓体５の外面との密着によりシール構造を形成する場合には、容器接合部である筒状基部４３ａ、張出部４３ｂの厚みが均等でなく、特に張出部４３ｂが形成されている部分の厚みが厚く、熱履歴による熱収縮に起因して筒状基部４３ａに不均一な熱収縮歪が生じてしまい、この結果、シール性の低下を生じてしまう。しかるに、本発明では、不均一な熱収縮が生じない位置に可撓性のシールリング５１、５７を用いてシール構造が形成されているため、シールリング５１、５７が筒状基部４３ａの熱収縮に追随し、この結果、シール性の低下を有効に回避することができる。
【００４３】
このように、本発明の注出具は、熱履歴によるシール性の低下が有効に抑制されているため、例えば袋状容器のヒートシールによりシール性が低下することがなく、さらに、内容物を充填した後、レトルト殺菌を行った場合においてもシール性が低下することがない。
【符号の説明】
【００４４】
１：スパウト
３：キャップ
５：筒状栓体
９：スカート部
２７：グリップリング
４１：円筒状本体部
４３：容器接合部
４３ａ：筒状基部
４３ｂ：張出部
５１：シールリング
６１：延長リング
１００：内容物の排出用流路
【図１】
2019081573.tif 000003
【図２】
2019081573.tif 000004
【図３】
2019081573.tif 000005
【図４】
2019081573.tif 000006
【図５】
2019081573.tif 000007